【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
加工部材を支持するベース部と、
切断刃を支持する切断部と、
該ベースに対して近接離間するように該切断部を揺動可能に支持する揺動支持部と、該ベース部に支持されて該揺動支持部を保持すると共に該ベース部上の面と該切断刃とが交差する交差線と略平行な方向に該揺動支持部を移動可能とするスライド支持部と、を備えた支持部と、
該切断部に設けられて該加工部材から発生する切断屑が流入可能な流入口が形成された流入部と、
該支持部と該切断刃との間に位置し、該交差線の延長上位置に設けられて該交差線と略平行な方向に移動可能な斜面部とを備え、該斜面部は、該切断刃に対向した位置にあって該加工部材から発生する該切断屑を該流入部側へと導引可能であることを特徴とする卓上切断機。
【請求項２】
該ベース部若しくは該スライド支持部であって該交差線の延長上に設けられて該加工部材を保持するガード部が設けられ、該ガード部は該斜面部に接続された係止部材を有し、該係止部材は該揺動支持部が所定の位置に移動したときに該揺動支持部と係合可能であり、
該係止部材が該揺動支持部に係合された状態で、該斜面部は該揺動支持部と連動して該交差線と略平行な方向に移動可能であることを特徴とする請求項１に記載の卓上切断機。
【請求項３】
該ガード部は、該斜面部の両脇に該斜面部を挟むように一対の壁部を有し、該壁部は該斜面部が移動した状態で常に該斜面部の両脇に位置していることを特徴とする請求項１または請求項２のいずれかに記載の卓上切断機。
【請求項４】
該揺動支持部は、該斜面部から最も離間する一端側の位置である第一位置と該斜面部に近接する他端側の位置である第三位置との間を、該第一位置と該第三位置との間に位置し該所定位置である第二位置を通過して移動可能であり、
該揺動支持部が該第一位置から第二位置まで移動している間では、該係止部材は該揺動支持部と非係合状態にあり、
該揺動支持部が該第二位置から該第三位置までの間では、該係止部材は該揺動支持部と係合状態にあることを特徴とする請求項２に記載の卓上切断機。
【請求項５】
該ガード部は、該斜面部を該交差線上で該切断刃方向に付勢する付勢部材を備えていることを特徴とする請求項１から請求項４のいずれか一に記載の卓上切断機。
【請求項６】
該揺動支持部は、該スライド支持部に摺動可能に支持され該交差線の方向に移動可能なスライドバーと、該スライドバーに設けられ該切断部を揺動可能に支持するホルダとを備え、該係止部材は該ホルダに係合可能であることを特徴とする請求項２に記載の卓上切断機。
【請求項７】
該一対の壁部は、該交差線方向に延び、該一対の壁部の先端面は該加工部材に当接可能であることを特徴とする請求項３記載の卓上切断機。
【手続補正２】
【補正対象書類名】明細書
【補正対象項目名】０００５
【補正方法】変更
【補正の内容】
【０００５】
切屑案内部材１２１を設けることによって、切屑の切断機周辺への噴出は低減されたが、のこ刃１３０位置から切屑案内部材１２１までの間は必ずしも密閉状態ではないため、切屑案内具１１９に対して移動する切屑案内部材１２１及びのこ刃１３０の位置関係によっては、切屑が切屑案内部材１２１と切屑案内具１１９の間から外部に噴出してしまう場合があった。特に切り終わり時においては、木材から切屑がほぼ水平方向に飛び出して切屑案内部材１２１と切屑案内具１１９との間から外部に噴出しやすく、作業者がその噴出の変化を感じやすくなり、作業者が不快に感じる場合があった。
【手続補正３】
【補正対象書類名】明細書
【補正対象項目名】０００７
【補正方法】変更
【補正の内容】
【０００７】
上記課題を解決するために本発明は、加工部材を支持するベース部と、切断刃を支持する切断部と、 該ベースに対して近接離間するように該切断部を揺動可能に支持する揺動支持部と、該ベース部に支持されて該揺動支持部を保持すると共に該ベース部上の面と該切断刃とが交差する交差線と略平行な方向に該揺動支持部を移動可能とするスライド支持部と、を備えた支持部と、該切断部に設けられて該加工部材から発生する切断屑が流入可能な流入口が形成された流入部と、該支持部と該切断刃との間に位置し、該交差線の延長上位置に設けられて該交差線と略平行な方向に移動可能な斜面部とを備え、該斜面部は、該切断刃に対向した位置にあって該加工部材から発生する該切断屑を該流入部側へと導引可能な卓上切断機を提供する。
【手続補正４】
【補正対象書類名】明細書
【補正対象項目名】０００８
【補正方法】変更
【補正の内容】
【０００８】
上記構成の卓上切断機において、該ベース部若しくは該スライド支持部であって該交差線の延長上に設けられて該加工部材を保持するガード部が設けられ、該ガード部は該斜面部に接続された係止部材を有し、該係止部材は該揺動支持部が所定の位置に移動したときに該揺動支持部と係合可能であり、該係止部材が該揺動支持部に係合された状態で、該斜面部は該揺動支持部と連動して該交差線と略平行な方向に移動可能であることが好ましい。
【手続補正５】
【補正対象書類名】明細書
【補正対象項目名】０００９
【補正方法】変更
【補正の内容】
【０００９】
また、該ガード部は、該斜面部の両脇に該斜面部を挟むように一対の壁部を有し、該壁部は該斜面部が移動した状態で常に該斜面部の両脇に位置していることが好ましい。
【手続補正６】
【補正対象書類名】明細書
【補正対象項目名】００１０
【補正方法】変更
【補正の内容】
【００１０】
また該揺動支持部は、該斜面部から最も離間する一端側の位置である第一位置と該斜面部に近接する他端側の位置である第三位置との間を、該第一位置と該第三位置との間に位置し該所定位置である第二位置を通過して移動可能であり、該揺動支持部が該第一位置から第二位置まで移動している間では、該係止部材は該揺動支持部と非係合状態にあり、該揺動支持部が該第二位置から該第三位置までの間では、該係止部材は該揺動支持部と係合状態にあることが好ましい。
【手続補正７】
【補正対象書類名】明細書
【補正対象項目名】００１１
【補正方法】変更
【補正の内容】
【００１１】
また該ガード部は、該斜面部を該交差線上で該切断刃方向に付勢する付勢部材を備えていることが好ましい。更に、該揺動支持部は、該スライド支持部に摺動可能に支持され該交差線の方向に移動可能なスライドバーと、該スライドバーに設けられ該切断部を揺動可能に支持するホルダとを備え、該係止部材は該ホルダに係合可能であることが好ましい。加えて該一対の壁部は、該交差線方向に延び、該一対の壁部の先端面は該加工部材に当接可能であることが好ましい。
【手続補正８】
【補正対象書類名】明細書
【補正対象項目名】００２２
【補正方法】変更
【補正の内容】
【００２２】
揺動支持部３３は、ホルダ３３Ａと、スライドバー３３Ｂとから主に構成されている。ホルダ３３Ａは、その後端にスライドバー３３Ｂが設けられており、スライドバー３３Ｂは保持部３１Ａにより摺動可能に担持されている。よって揺動支持部３３は、保持部３１Ａを支持箇所として前後方向にスライド可能となっている。尚、揺動支持部３３が最も前側に移動した状態を第一位置と定義し、最も後側に移動した状態を第三位置と定義する。ホルダ３３Ａは、その上部に腕部３３Ｃを有しており、保持ピン３３Ｄにより切断部４を揺動可能に軸支している。また腕部３３Ｃと切断部４との間には図示せぬバネが設けられており、このバネが腕部３３Ｃに対して切断部４を上方に付勢している。またホルダ３３Ａの下部には、係止部材３２Ｄと係合して斜面部３２Ｂを後方に押すための係合部３３Ｅが設けられている。揺動支持部３３において、第一位置から第三位置へと移動する途中で、係合部３３Ｅが係止部材３２Ｄと係合する位置を第二位置と定義する。
【手続補正９】
【補正対象書類名】明細書
【補正対象項目名】００２４
【補正方法】変更
【補正の内容】
【００２４】
切断部４を揺動して上面２１に近接させた状態で、カバー４２の前側には、切断時の把握箇所となるハンドル４６が設けられており、ハンドル４６にはモータ４３の回転を制御するスイッチが設けられている。またカバー４２の後方側には、カバー４２内に入った木材Ｗの切屑が流入する流入口が形成された流入部４４が設けられている。流入部４４の反流入口側には、ダストバッグ４８が設けられており流入部４４に流入した切屑が収容可能となっている。フレーム４１の上部には、丸鋸刃５を駆動するモータ４３が設けられており、このモータ４３の近傍には、卓上丸鋸１を移動する際に把握するハンドル４７が設けられている。またカバー４２の下部であって、後方側位置には、ゴム製の切屑案内部材４５が丸鋸刃５を覆うように設けられており、丸鋸刃５と木材Ｗとの当接位置から発生する切屑をカバー４２内に導入している。
【手続補正１０】
【補正対象書類名】明細書
【補正対象項目名】００３０
【補正方法】変更
【補正の内容】
【００３０】
尚、卓上丸鋸１においては、ベース部２に対して、支持部３と切断部４はピン２Ａにより軸支されているため、支持部３及び切断部４を傾動させることが可能であり、傾動した状態であっても、上述したように、切断部４をスライドして、切屑をダストバッグ４８内に収容可能である。